(57)【特許請求の範囲】
【請求項１】
所定速度で搬送されるフープ材(1)に対して複数の製品用ダボ(5)を形成するためのダボ出し金型(5A)からなる電磁鋼板プレス金型構造において、
前記ダボ出し金型(5A)には、前記製品用ダボ(5)を形成するための製品用ダボ形成部(4)と、前記製品用ダボ形成部(4)の近傍でかつ前記フープ材(1)から打ち抜かれるプレス製品(6)の外側に位置するダボ高さ確認用ダボ(5a)を形成するためのダボ高さ確認用ダボ形成部(4A)と、が設けられ、
前記製品用ダボ(5)と前記ダボ高さ確認用ダボ(5a)とは、前記ダボ出し金型(5A)によって同時かつ同一形状に前記フープ材(1)に対して形成されるように構成したことを特徴とする電磁鋼板プレス金型構造。
【請求項２】
前記製品用ダボ形成部(4)は複数個よりなり、前記ダボ高さ確認用ダボ形成部(4)は１個のみ又は複数個よりなることを特徴とする請求項１記載の電磁鋼板プレス金型構造。
【発明の詳細な説明】
【技術分野】
【０００１】
本発明は、電磁鋼板プレス金型構造に関し、特に、フープ材に製品用ダボを形成する際に同時にダボ高さ確認用ダボを形成するための新規な改良に関する。
【背景技術】
【０００２】
従来、用いられていたこの種のカシメダボを用いて積層コアを形成することは、例えば、特許文献１の積層コアの転積方法及び積層コアを挙げることができるが、プレス後のリング状コアプレートがカシメダボの嵌合によって積層されてコアブロックが形成され、各コアブロック毎に所定角度づつ転積あるいは転積ではなくそのままストレートに積層させて多段状の所定の厚さを有する積層コアを製造していた。
【０００３】
前述のカシメダボを形成させる方法は、前述の特許文献１の構成には何ら開示されておらず、一般には、図５から図７で示される製造工程を経てカシメダボが形成されている。
すなわち、図４において符号１で示されるものは、所定厚さの板厚からなり、図２の第１ステーション２において図示しない一対の供給及び巻取りリール間を定速で間欠送りされる電磁鋼板からなるフープ材であり、このフープ材１はその両側に設けられた多数のガイド孔３を介して図示しない送り機構により矢印Ａ方向に沿って同期送りされている。
【０００４】
前記第１ステーション２においては、図５で示される製品用ダボ形成部４を有するダボ出し金型５によって前記フープ材１をプレスすることにより、図４に示されるように複数の製品用ダボ５が形成される。
尚、図５で点線にて示される、例えば、レゾルバの輪状ステータの輪状ステータコア片からなるプレス製品６は、図５においては参考のため、前記各製品用ダボ形成部４との位置関係を示すために示したものであり、実際には、前記プレス製品６をプレスするためのプレス製品用金型７は、図２に示されている第２ステーション２Ａに設けられている。
【０００５】
従って、前記第１ステーション２において、図４のように、複数の製品用ダボ５が形成された前記フープ材１は、矢印Ａで示される方向に搬送され前記第２ステーション２Ａにおいて、前記プレス製品金型７によってプレスされることにより、図５で点線によって示されているように複数の前記製品用ダボ５を有するプレス製品６が製造されて下方に落下して積層型プレス製品８が得られる。
従って、前記積層型プレス製品８は、例えば、図６で示される構成となり、この場合の前記フープ材１及びプレス製品６に形成された前記製品用ダボ５は、図７に示されるように所定のダボ高さＨを有する製品用ダボ５として形成されている。
【先行技術文献】
【特許文献】
【０００６】
【特許文献１】特開２０１２−５１７７号公報
【発明の概要】
【発明が解決しようとする課題】
【０００７】
従来のカシメダボを用いた積層コアの形成方法は、以上のように構成されていたため、次のような課題が存在していた。
すなわち、プレス作業時においてプレス機が停止する度にフープ材１に形成された製品用ダボのダボ高さは安定しない。そのため、ダボ高さにバラツキがあると、各プレス製品６を積層させた場合の各プレス製品６同士の結合強度にバラツキが存在し、積層型プレス製品８としての製品強度にバラツキが生じることになっていた。
【０００８】
また、前述の構成においては、各製品用ダボのダボ高さが生産中に一定であるか否かを見つけることが困難であるため、積層中に第１、第２ステーション２、２Ａの動作を停止させ、一度、フープ材１を引き出し、各ダボ高さＨ（図７で示す）を確認し、問題がなければフープ材１を各ステーション２、２Ａ内に戻すが、高さＨにバラツキが発生している場合には、ダボ出し金型５Ａの位置調整を行った後に各ステーション２、２Ａ内にフープ材１を戻してプレス動作を再開するか、又は、フープ材１及びプレス製品６を廃棄しなければならなかった。
【０００９】
そのため、プレス機の動作を一度停止させると、ダボ出し金型５Ａの高さ位置等に若干の変化等が生じ、再開した場合には、しばらくの間はプレステストをして様子を見る等の必要があった。
従って、プレス機としては、生産性が低下すると云う重大な問題が発生することになっていた。
【００１０】
本発明は、以上のような課題を解決するためになされたもので、特に、フープ材に製品用ダボを形成する際に同時にダボ高さ確認用ダボを形成するようにした電磁鋼板プレス金型構造を提供することを目的とする。
【課題を解決するための手段】
【００１１】
本発明による電磁鋼板プレス金型構造は、所定速度で搬送されるフープ材に対して複数の製品用ダボを形成するためのダボ出し金型からなる電磁鋼板プレス金型構造において、前記ダボ出し金型には、前記製品用ダボを形成するための製品用ダボ形成部と、前記製品用ダボ形成部の近傍でかつ前記フープ材から打ち抜かれるプレス製品の外側に位置するダボ高さ確認用ダボを形成するためのダボ高さ確認用ダボ形成部と、が設けられ、前記製品用ダボと前記ダボ高さ確認用ダボとは、前記ダボ出し金型によって同時かつ同一形状に前記フープ材に対して形成されるようにした構成であり、また、前記製品用ダボ形成部は複数個よりなり、前記ダボ高さ確認用ダボ形成部は１個のみ又は複数個よりなる構成である。
【発明の効果】
【００１２】
本発明による電磁鋼板プレス金型構造は、以上のように構成されているため、次のような効果を得ることができる。
すなわち、所定速度で搬送されるフープ材に対して複数の製品用ダボを形成するためのダボ出し金型からなる電磁鋼板プレス金型構造において、前記ダボ出し金型には、前記製品用ダボを形成するための製品用ダボ形成部と、前記製品用ダボ形成部の近傍でかつ前記フープ材から打ち抜かれるプレス製品の外側に位置するダボ高さ確認用ダボを形成するためのダボ高さ確認用ダボ形成部と、が設けられ、前記製品用ダボと前記ダボ高さ確認用ダボとは、前記ダボ出し金型によって同時かつ同一形状に前記フープ材に対して形成されるように構成したことにより、プレス機の動作を途中で停止させなくても、プレス済みのスクラップであるプレス済みフープ材のダボ高さ確認用ダボの高さにより、製品用ダボの良否を確実に判定することができる。
また、前記製品用ダボ形成部は複数個よりなり、前記ダボ高さ確認用ダボ形成部は１個のみ又は複数個よりなることにより、プレス済みフープ材のダボ高さの確認が容易となる。
【図面の簡単な説明】
【００１３】
【図１】本発明による電磁鋼板プレス金型構造によりプレスした製品用ダボとダボ高さ確認用ダボを示すためのフープ材の平面図である。
【図２】本発明による電磁鋼板プレス金型構造を用いたプレス工程を示すブロック図である。
【図３】本発明で用いられるダボ出し金型の製品用ダボ形成部とダボ高さ確認用ダボ形成部と点線のプレス製品を重ねて示す裏面図である。
【図４】従来のフープ材に製品用ダボが設けられている状態を示す平面図である。
【図５】従来のダボ出し金型を示す裏面図である。
【図６】積層型プレス製品を示す正面図である。
【図７】図１及び図４に形成された製品用ダボを示す要部の断面図である。
【発明を実施するための形態】
【００１４】
本発明による電磁鋼板プレス金型構造は、フープ材に製品用ダボを形成する際に、この製品用ダボと同一形状のダボ高さ確認用ダボを同時に形成することである。
【実施例】
【００１５】
以下、図面と共に本発明による電磁鋼板プレス金型構造の好適な実施の形態について説明する。
尚、従来例と同一又は同等部分には、同一符号を用いて説明する。
図１において符号１で示されるものは、所定厚さの板厚からなり、図２の第１、第２ステーション２,２Ａにおいて図示しない一対の供給及び巻取りリール間を定速で間欠送りされる電磁鋼板からなるフープ材であり、このフープ材１はその両側に設けられた多数のガイド孔３を介して図示しない送り機構によって矢印Ａ方向に同期送りされている。
【００１６】
前記第１ステーション２においては、図３で示される複数の製品用ダボ形成部４及びダボ高さ確認用ダボ形成部４Ａを有するダボ出し金型５Ａが設けられており、このダボ出し金型５Ａによって前記フープ材１をプレスすることにより、前記製品用ダボ形成部４及びダボ高さ確認用ダボ形成部４Ａによって図１に示されるように、複数の製品用ダボ５及び１個のみ又は複数個のダボ高さ確認用ダボ５ａが形成されている。
【００１７】
尚、図３で点線にて示される、例えば、レゾルバの輪状ステータの輪状ステータコア片からなるプレス製品６は、図３においては参考のため、前記各製品用ダボ形成部４及びダボ高さ確認用ダボ形成部４Ａとの位置関係を示すために示したものであり、実際には、前記プレス製品６をプレスするためのプレス製品用金型７は、図２における第２ステーション２Ａに設けられている。
尚、前述のフープ材１上の製品用ダボとダボ高さ確認用ダボ５ａは、前記製品用ダボ形成部４とダボ高さ確認用ダボ形成部４Ａが１個のダボ出し金型５Ａに形成されているため、第１ステーション２におけるダボ出し金型５Ａの調整により、各ダボ５,５ａ全体の形状を若干調整できる。
【００１８】
従って、前記第１ステーション２において、図１のように複数の製品用ダボ５及び１個のみ（複数も可）のダボ高さ確認用ダボ５ａが形成された前記フープ材１は、矢印Ａで示された前記フープ材１は、矢印Ａで示される方向に搬送され前記第２ステーション２Ａにおいて、前記プレス製品金型７によってプレスされることにより、図３で点線によって示されているように複数の前記製品用ダボ５を有するプレス製品６が製造されて下方に落下して積層型プレス製品８が得られる。
従って、前記積層型プレス製品８は、例えば、図６で示される構成となり、この場合の前記フープ材１及びプレス製品６に形成された前記製品用ダボ５は、図７に示されるように所定のダボ高さＨを有する製品用ダボ５として製造されている。
【００１９】
前述のフープ材１に対して製品用ダボ５を形成し、プレス製品６をプレスして積層型プレス製品８を積層させる工程は、図７で示す前記製品用ダボ５が正常のダボ高さＨを有すると云うことを前提とした工程であるが、本発明においては、前記フープ材１上の前記製品用ダボ５の近傍でかつ前記フープ材１から打ち抜かれるプレス製品６の外側に位置するダボ高さ確認用ダボ５ａが、前記ダボ出し金型５Ａのダボ高さ確認用ダボ形成部４Ａによって前記各製品用ダボ５と同時に形成されていると共に、前記製品用ダボ５とダボ高さ確認用ダボ５ａの各ダボ高さＨは１個のダボ出し金型５Ａで同時にプレスするため同一であり、図２の前記第２ステーション２Ａで製品プレス後のスクラップであるプレス済みフープ材１を用いてそのダボ高さ確認用ダボ５ａの高さ検査２Ｂをノギス等で行うことができる。
【００２０】
前述のダボ高さ確認用ダボの高さ検査２Ｂにおいて、前記ダボ高さＨが正常であれば、継続してフープ材１が第２ステーション２Ａでプレスされるが、正常でない場合は、前記各ステーション２、２Ａの動作が停止されてフープ材１が除去されると共に、それまでにプレスしたプレス製品６及び積層型プレス製品８が廃棄されるダボ高さ異常に基づく処理工程２Ｃとなる。
次に、再び前記フープ材１を各ステーション２,２Ａに再セットし、プレス動作の再開となる。
【００２１】
従って、本発明においては、製品用ダボ５と同時にかつ、それと同一のダボ高さ確認用ダボ５ａをプレスしているため、プレス後のスクラップであるプレス済みフープ材１ａの前記ダボ高さ確認用ダボ５ａのダボ高さＨの正常／異常をチェックするだけで製品用ダボ５の正常／異常を容易に判定することができ、フープ材１を停止させることなくダボ高さの確認ができることでダボ高さが安定して品質が安定し、積層型プレス製品８の剥離強度も安定して一体化され、また、プレス機もダボ高さＨが異常であると判断された時以外は停止することがなく生産が可能であるため生産性も従来に比して大幅に向上する。
【００２２】
本発明による電磁鋼板プレス金型構造の要旨とするところは、次の通りである。
すなわち、所定速度で搬送されるフープ材１に対して複数の製品用ダボ５を形成するためのダボ出し金型５Ａからなる電磁鋼板プレス金型構造において、前記ダボ出し金型５Ａには、前記製品用ダボ５を形成するための製品用ダボ形成部４と、前記製品用ダボ形成部４の近傍でかつ前記フープ材１から打ち抜かれるプレス製品６の外側に位置するダボ高さ確認用ダボ５ａを形成するためのダボ高さ確認用ダボ形成部４Ａと、が設けられ、前記製品用ダボ５と前記ダボ高さ確認用ダボ５ａとは、前記ダボ出し金型５Ａによって同時かつ同一形状に前記フープ材１に対して形成されるようにした構成であり、また、前記製品用ダボ形成部４は複数個よりなり、前記ダボ高さ確認用ダボ形成部４は１個のみ又は複数個よりなる構成である。
【産業上の利用可能性】
【００２３】
本発明による電磁鋼板プレス金型構造は、フープ材に製品用ダボを形成する際に同時にダボ高さ確認用ダボを形成することにより、フープ材を停止させることなくダボ高さＨの確認ができ、生産性を向上させることができる。
【符号の説明】
【００２４】
１    フープ材
１ａ    プレス済みフープ材（スクラップ）
２    第１ステーション
２Ａ    第２ステーション
２Ｂ    ダボ高さ確認用ダボの高さ検査
２Ｃ    ダボ高さ異常処理工程
３    ガイド孔
４    製品用ダボ形成部
４Ａ    ダボ高さ確認用ダボ形成部
５    製品用ダボ
５ａ    ダボ高さ確認用ダボ
５Ａ    ダボ出し金型
６    プレス製品
７    プレス製品金型
８    積層型プレス製品
【図１】
0006349501.tif 000002
【図２】
0006349501.tif 000003
【図３】
0006349501.tif 000004
【図４】
0006349501.tif 000005
【図５】
0006349501.tif 000006
【図６】
0006349501.tif 000007
【図７】
0006349501.tif 000008